(57)【特許請求の範囲】
【請求項１】
上部横桟と下部横桟との間に所要間隔に複数の縦桟が固着され、上記上部横桟は、窓枠に取り付けられた上部ブラケットと横桟の裏面に取り付けられた上部取付け板により横桟と平行な線上にある軸を中心にして回動可能に取り付けられ、上記下部横桟は、窓枠に取り付けられた下部ブラケットと第一リンクと第二リンクと前記横桟の裏側に固着された下部取付け板とを介し、上記下部ブラケットと第一リンクとの間に第一関節、第一リンクと第二リンクとの間に第二関節、第二リンクと上記下部取付け板との間に第三関節を形成して取り付けられ、上記第一・第二リンクが折り畳まれた状態で、上記下部ブラケットと上記下部取付け板とが固定手段により一体になるようにしてなる開放可能面格子において、上記折り畳まれた状態の第一・第二リンクが下部横桟の懐内に収容されるようにしてなることを特徴とする開放可能面格子。
【発明の詳細な説明】
【０００１】
【発明の属する技術分野】
この発明は窓枠に取り付けられた面格子が防犯機能を損なうことなく必要に応じ開放可能にした面格子に関する。
【０００２】
【従来の技術】
面格子は、窓などからの不法侵入を防止するためのものであるから通常は窓枠に固定され、外部から容易に外せないような構造になっている。
【０００３】
ところが、火災が発生し入り口や掃きだし口から脱出できなくなったときには、面格子を壊して脱出せねばならないときがあるが、このような場合容易に面格子が壊れないために逃げ後れて焼死に至る。また、火災の緊急脱出だけでなく、窓枠のレール部分や窓ガラスの掃除において、面格子があると窓ガラスを窓枠から外すことができず大変掃除がしづらいなどの問題もある。こうしたことから、これまで緊急脱出可能あるいは必要に応じ開放可能な面格子が幾つか提案されている。
【０００４】
【発明が解決しようとする課題】
ところが、これまで提案されている開放可能な面格子を見ると、構造が複雑で製造コストを高くしているものや、開放が不十分であるものであった。
【０００５】
この発明は、上記従来の開放可能な面格子の問題点に鑑み、構造を簡素化して製造コストを低減し、開放操作が簡単で、十分に開放可能な面格子を提供することを課題とする。
【０００６】
【課題を解決するための手段】
上記課題を解決するためにこの発明は、上部横桟と下部横桟との間に所要間隔に複数の縦桟が固着され、上記上部横桟は、窓枠に取り付けられた上部ブラケットと上部横桟の裏面に取り付けられた上部取付け板により横桟と平行な線上にある軸を中心にして回動可能に取り付けられ、上記下部横桟は、窓枠に取り付けられた下部ブラケットと第一リンクと第二リンクと前記横桟の裏側に固着された下部取付け板とを介し、上記下部ブラケットと第一リンクとの間に第一関節、第一リンクと第二リンクとの間に第二関節、第二リンクと上記下部取付け板との間に第三関節を形成して取り付けられ、上記第一・第二リンクが折り畳まれた状態で、上記下部ブラケットと上記下部取付け板とが固定手段により一体になるようにしてなる開放可能面格子において、上記折り畳まれた状態の第一・第二リンクが下部横桟の懐内に収容されるようにしたものである。
【０００７】
上記の如く構成するこの発明によれば、固定手段を外せば下部横桟と窓枠との間に介在する第一・第二リンクの関節が伸び面格子の下側が窓枠から離れて開放状態になり、その構造も簡単で製造コストも安くでき、取扱いも極めて簡単である。
【０００８】
【発明の実施の形態】
次にこの発明の実施形態を図面を参照しながら説明する。図１に示すように面格子１０は、アルミニウムを押出成形したチャンネル形材の上部横桟１１と下部横桟１２とに、同様に押出成形した角形管材の縦桟１３を例えば１２ｃｍ間隔で亘設してできている。
【０００９】
上記面格子１０の上部横桟１１は、図示しない窓枠に取り付けられた上部ブラケット１４と上部横桟１１の裏面に取り付けられた上部取付け板１５によりピン１６ａを軸（上部横桟に平行な軸）にして回動可能に取り付けられている。
【００１０】
なお、上部取付け板１５は、図３に示すように上部横桟１１の懐内に雌ねじ１７a を設けた当て板１８a を差し込み、この当て板１８a と上部取付け板１５との間に上部横桟１１の耳部分１１a （図１参照）を挟んでビスねじ１９a を締めつけて取付けられる。
【００１１】
上記下部横桟１２と図示しない窓枠とは、図４，図５に示すように窓枠に取り付けられた下部ブラケット２０と第一リンク２１、第一リンク２１と第二リンク２２、第二リンク２２と前記下部横桟１２の裏側に取り付けられた下部取付け板２３とが関節でもって連結されて繋がっている。
【００１２】
上記下部ブラケット２０と第一リンク２１が繋がっている第一関節２４a は、下部ブラケット２０の端が切り起し２５a され、その部分に設けられたピン孔と、第一リンク２１の端に設けられたピン孔にピン１６b が差し込まれて構成されている。
【００１３】
第一リンク２１と第二リンク２２とが繋がっている第二関節２４b は、各リンクの端に設けられたピン孔にピン１６c が差し込まれて構成されている。
【００１４】
上記第二リンク２２と下部取付け板２３が繋がっている第三関節２４c は、下部取付け板２３の端が切り起し２５b され、その部分に設けられたピン孔と、第二リンク２２の端に設けられたピン孔にピン１６d が差し込まれて構成されている。
【００１５】
なお、下部取付け板２３は下部横桟１２（図１参照）の懐内に雌ねじ１７ｂを設けた当て板１８ｂを挿し込み、この当て板１８ｂと下部取付け板２３との間に下部横桟１２の耳部分１２ａ（図１参照）を挟んでビスねじ１９ｂを締めつけて取付けられる。
【００１６】
平時は、第一・第二リンク２１，２２が折り畳まれて下部横桟１２の懐内に収容されており、上記下部ブラケット２０と上記下部取付け板２３とが蝶ねじ２７（固定手段）により固定されて不法侵入できない状態にしている。
【００１７】
緊急脱出あるいは窓枠のレールや窓ガラスの掃除をするときは上記蝶ねじ２７を緩めると蝶ねじ２７の羽の部分が下部ブラケット２０の変形長孔２８に一致する。この状態で面格子１０の下側を外方向に突き出すと上記各関節２４が延びて第一・第二リンク２１，２２が一直線になり面格子１０の下側が開放される（図２参照）。
【００１８】
上記実施例では固定手段を、蝶ねじ２７と変形長孔２８との組み合わせによって構成していたが、図６に示すように下部横桟１２の懐に差し込んだ当て板１８b からねじ棒２９を立設し、上記変形長孔を設けていた部分を単なるバカ孔３０にし、上記立設したねじ棒２９に蝶ねじ２７a をねじ込むようにすることもできる。また、図７および図８のように閂方式３１、バヨネット３２方式にすることができる。閂方式３１は、下部取付け板２３に閂受け３３を設け、下部ブラケット２０に閂受け３３が貫通する長孔３４を設けたものである。バヨネット３２方式は、下部取付け板２３に凸子３５を有するノックピン３６を植設し、下部ブラケット２０のノックピン３６が貫通する位置にバカ孔３７を設け、このバカ孔３７から突き出たノックピン３６に、内部に板バネ３８を装填し側面に鉤形長孔３９を設けたソケット４０を被せて下部取付け板２３と下部ブラケット２０とを固定する構造としたものである。
【００１９】
なお、図２に示すように面格子１０を突き出して開放状態にしようとすると第一・  第二リンク２１，２２を繋いでいる関節２４b が拗れるので、その拗れを吸収するために関節部分にギャップを設けるようにしているが、自在関節にすることもできる。
【００２０】
図９および図１０は、第一リンク６１と第二リンク６２を下部横桟５２の懐内に収容せず、窓枠に隣接させた実施形態で、上部横桟５１、下部横桟５２および縦桟５３の組み立て状態、および上部横桟５１を上部ブラケット５４と上部取り付け板５５により窓枠にピン５６a を介して回動可能に取り付けられるところは図１と同様である。
【００２１】
下部横桟５２には、下部取り付け板６３が下部当て板５８b とビスねじ５９b により取り付けられ、該下部取り付け板６３の折り曲げ部６３b と窓枠に取り付けられた下部ブラケットとは第一リンク６１と第二リンク６２によりピン５６b ，５６c ，５６d を介して連結されている。
【００２２】
上記第一リンク６１と第二リンク６２は窓枠に隣接し、かつ、窓枠の内面に沿って屈曲するようになり、上記各リンクが折り畳まれたときは図９のように下部取り付け板６３と下部ブラケット６０とは互いに当接し蝶ねじ６７は変形長孔に嵌まり、蝶ねじを横にすることにより面格子は閉鎖された状態になる。
【００２３】
蝶ねじを縦にすると下部取り付け板６３と下部ブラケット６０との固定状態は解除され第一リンク６１と第二リンク６２は延ばすことができるようになり面格子は図２のように開放状態にすることができる。
【００２４】
この実施例では、第一・第二リンク６１，６２の位置が窓枠に隣接しているので、面格子５０を開放したときのブラケット取り付け部６０b への負荷が軽減され損傷を予防することができ、また、第一・第二リンク６１，６２は窓枠の内面に沿って折り畳まれるので邪魔にならない。
【００２５】
【発明の効果】
以上説明したようにこの発明によれば、簡単な機構で、コストアップすることなく面格子の下側を開放可能にし、緊急脱出と、窓枠のレールおよび窓ガラスの掃除を容易にすることができる。
【図面の簡単な説明】
【図１】この発明に係る実施形態の斜視図
【図２】同開放状態図
【図３】上部横桟の取付け状態説明図
【図４】下部横桟の固定状態説明図
【図５】リンクと関節構造および固定手段説明図（その１）
【図６】リンクと関節構造および固定手段説明図（その２）
【図７】リンクと関節構造および固定手段説明図（その３）
【図８】バヨネットの説明図
【図９】他の実施形態の斜視図
【図１０】同リンクと関節構造および固定手段説明図
【符号の説明】
１０，５０  面格子
１１，５１  上部横桟
１２，５２  下部横桟
１３，５３  縦桟
１４，５４  上部ブラケット
１５，５５  上部取付け板
１６a ，５６a   ピン（上部ブラケットと上部取付け板を繋ぐ）
１６b ，５６b   ピン（第一関節の）
１６c ，５６c   ピン（第二関節の）
１６d ，５６d   ピン（第三関節の）
１７ａ，１７ｂ，５７ｂ  雌ねじ
１８a ，５８a   当て板（上部横桟の）
１８b ，５８b   当て板（下部横桟の）
１９a ，５９a   ビスねじ（上部横桟の）
１９b ，５９b   ビスねじ（下部横桟の）
２０，６０  下部ブラケット
２１，６１  第一リンク
２２，６２  第二リンク
２３，６３  下部取付け板
２４a ，６４a   第一関節
２４b ，６４b   第二関節
２４c ，６４c   第三関節
２５a   切り起し（下部ブラケット側）
２５c   切り起し（下部取付け板側）
２７，２７a ，６７  蝶ねじ
２８，６８  変形長孔
２９  ねじ棒
３０  ばか孔
３１  閂
３２  バヨネット
３３  閂受け
３４  長孔
３５  凸子
３６  ノックピン
３７  バカ孔
３８  板バネ
３９  鉤形長孔
４０  ソケット
【図１】
0003663350.tif 000002
【図２】
0003663350.tif 000003
【図３】
0003663350.tif 000004
【図４】
0003663350.tif 000005
【図５】
0003663350.tif 000006
【図６】
0003663350.tif 000007
【図７】
0003663350.tif 000008
【図８】
0003663350.tif 000009
【図９】
0003663350.tif 000010
【図１０】
0003663350.tif 000011